(57)【要約】      （修正有）【課題】薄暗い場所でも視力が利き、かつ意匠性に優れた色覚補正メガネを提供する。【解決手段】色覚補正レンズと色覚補正レンズにより感じられる明るさを向上させるための明度向上レンズとを組わせて作成され、明度向上レンズとして色覚補正レンズと同分類の透過率曲線を有し視感透過率が色覚補正レンズより大きいレンズを用いる。【選択図】図１
2014134661.tif 000002
【特許請求の範囲】
【請求項１】
光の波長が４４０ｎｍから大きくなるにつれて透過率が減少して最小値に達したのち光の波長が６００ｎｍまで大きくなるにつれて透過率が増加する透過率曲線を有する複数等級のレンズを含むＡＢ類のレンズ郡、光の波長が４４０ｎｍから大きくなるにつれて透過率が減少し最小値に達したのち光の波長が６００ｎｍまで大きくなるにつれて透過率が増加するとともに当該透過率の最小値が５０％以上である透過率曲線を有する複数等級のレンズを含むＣ類のレンズ郡、及び光の波長が４４０ｎｍから６００ｎｍまでの範囲で略右上がり形状の透過率曲線を有する複数等級のレンズ郡を含むＤ類のレンズ郡からなる３類のレンズ郡より選択された色覚補正レンズと、
前記色覚補正レンズと同類のレンズ郡から選択された明度向上レンズと、
を備え、
前記明度向上レンズは、前記色覚補正レンズより視感透過率が大きい色覚補正メガネ。
【請求項２】
前記ＡＢ類のレンズ郡は、Ａ類のレンズ郡とＢ類のレンズ郡とからなり、
前記Ａ類のレンズは、波長４４０ｎｍの光の透過率が４０％以上となるよう形成され、
前記Ｂ類のレンズは、波長４４０ｎｍの光の透過率が４０％未満であるとともに、Ｂ類に含まれる異なる等級のレンズは、波長４４０ｎｍの光の透過率と波長６００ｎｍの光の透過率の大小関係が逆に成るよう形成されており、
前記色覚補正レンズがＢ類のレンズ郡より選択され、前記明度向上レンズがＡ類のレンズ郡より選択された請求項１に記載の色覚補正メガネ。
【発明の詳細な説明】
【技術分野】
【０００１】
この発明は、色覚異常者の色覚を補正する色覚補正メガネに関する。
【背景技術】
【０００２】
本発明者は、色覚異常者の色覚を色覚正常者の色覚に近づけるべく補正する色覚補正メガネを製造販売しており、多数の色覚異常者がこの色覚補正メガネを利用するに至っている。
【０００３】
この色覚補正メガネは、色覚異常者の３種の錘状体視細胞の何れかが、他の錘状体視細胞より感度が相対的に強いことが色覚異常の原因であるとする理論に基づいている。即ち、当該色覚補正レンズは、色覚異常者が相対的に強く感じる光の透過率を抑えることで、色覚異常者の色覚を正常者の色覚に近づけるものである（特許文献１参照）。
【０００４】
ところが、当該色覚補正レンズは、色覚異常者が強く感じる光の透過率を押えるためにレンズを透過する光が減少して視界が暗くなり、夕暮れ時等には視力が利かなくなるという不都合が有った。
【０００５】
そこで、本発明者は、一方のレンズのみに色覚補正レンズを用い、他方のレンズには色覚異常者がレンズを通して感じる明るさが色覚補正レンズを通して感じる明るさより大きい色覚明度向上レンズを用いた色覚補正メガネを提案している（特許文献２参照）。このレンズは、色覚異常者が色覚明度向上レンズで感じた明るさを、脳内にて色覚補正レンズで感じた明るさに置き換えることより、色覚異常者の視界が暗くなるのを抑制するものである。
【先行技術文献】
【特許文献】
【０００６】
【特許文献１】特開平６−１８８１９号公報
【特許文献２】特開２００５−２８１３８号公報
【発明の概要】
【発明が解決しようとする課題】
【０００７】
しかし、特許文献２に係る色覚補正メガネは、両方のレンズの色が大きく異なり、人前では使用しづらいという不都合があった。
本発明は、上記課題に鑑みてなされたものであり、色覚補正レンズと色覚明度向上レンズの色が近く、人前でも使用しやすい色覚補正メガネの提供を目的とする。
【課題を解決するための手段】
【０００８】
上記課題を解決するためになされた発明は、光の波長が４４０ｎｍから大きくなるにつれて透過率が減少して最小値に達したのち光の波長が６００ｎｍまで大きくなるにつれて透過率が増加する透過率曲線を有する複数等級のレンズを含むＡＢ類のレンズ郡、光の波長が４４０ｎｍから大きくなるにつれて透過率が減少し最小値に達したのち光の波長が６００ｎｍまで大きくなるにつれて透過率が増加するとともに当該透過率の最小値が５０％以上である透過率曲線を有する複数等級のレンズを含むＣ類のレンズ郡、及び光の波長が４４０ｎｍから６００ｎｍまでの範囲で略右上がり形状の透過率曲線を有する複数等級のレンズ郡を含むＤ類のレンズ郡からなる３類のレンズ郡より選択された色覚補正レンズと、前記色覚補正レンズと同類のレンズ郡から選択された明度向上レンズと、を備え、前記明度向上レンズは、前記色覚補正レンズより視感透過率が大きい色覚補正メガネである。
【０００９】
本発明の色覚補正メガネでは、片方のレンズに当該メガネを使用する色覚異常者が最もよく色の判別を行うことができる類のレンズである色覚補正レンズを用い、他方のレンズに色覚補正レンズより視感透過率の大きい明度向上レンズを用いることで、両目用のレンズとして共に色覚異常者が最もよく色の判別を行うことができるレンズを使用する場合に比べて、色覚異常者が感じる明るさを向上させることができる。また、明度向上レンズと色覚補正レンズとを、ＡＢ類、Ｃ類及びＤ類の３類のうちの同類のレンズとすることで、色覚補正レンズと明度向上レンズの外観差を抑制することができる。
【００１０】
本発明は、前記ＡＢ類のレンズ郡が、Ａ類のレンズ郡とＢ類のレンズ郡とからなり、前記Ａ類のレンズは、波長４４０ｎｍの光の透過率が４０％以上となるよう形成され、前記Ｂ類のレンズは、波長４４０ｎｍの光の透過率が４０％未満であるとともに、Ｂ類に含まれる異なる等級のレンズは、波長４４０ｎｍの光の透過率と波長６００ｎｍの光の透過率の大小関係が逆に成るよう形成されており、前記色覚補正レンズがＢ類のレンズ郡より選択され、前記明度向上レンズがＡ類のレンズ郡より選択された色覚補正メガネを含む。このように、Ｂ類のレンズは、異なる等級のレンズが光の波長４４０ｎｍにおける透過率と光の波長６００ｎｍにおける透過率の大小関係が逆になるため、各等級で視感透過率がほとんど変化しない。このため、色覚補正レンズとしてＢ類のレンズが最適であるとされた際には、明度向上レンズとしてＡ類のレンズを用いることで使用者が感じる明度を向上させることができる。
【００１１】
ここで、透過率が「増加する」若しくは「減少する」とは、多少増減しながら増加又は減少する場合を含むものとする。
【発明の効果】
【００１２】
以上説明したように、本発明の色覚補正メガネによれば、色覚補正メガネのデザイン性を損なうことなく当該メガネを使用する色覚異常者が感じる明るさを向上させることができる。
【図面の簡単な説明】
【００１３】
【図１】本発明に係るＡ類のレンズの透過率曲線を模式的に示したグラフである。
【図２】本発明に係るＢ類のレンズの透過率曲線を模式的に示したグラフである。
【図３】本発明に係るＣ類のレンズの透過率曲線を模式的に示したグラフである。
【図４】本発明に係るＤ類のレンズの透過率曲線を模式的に示したグラフである。
【発明を実施するための形態】
【００１４】
次に、適宜図面を参照しながら本発明に係る色覚補正メガネの実施形態について詳述する。本発明の色覚補正メガネは、色覚異常者の色覚を補正する色覚補正レンズと色覚異常者が感じる明るさを向上させる明度向上レンズとを備えている。
尚、本発明の色覚補正メガネは以下の実施の形態に限られるものではない。また、色覚補正レンズと明度向上レンズを総称して単に「レンズ」ともいうものとする。
【００１５】
色覚補正レンズ、及び明度向上レンズは、図１乃至図４のグラフに模式的に示したような透過率曲線を有している。図１乃至図４のグラフは、それぞれＡ類、Ｂ類、Ｃ類、及びＤ類のレンズの透過率曲線を示しており、各類は、少しずつ透過率曲線の形状の異なる８つのレンズ郡からなる。Ａ類とＢ類のレンズは、透過率曲線の形状が類似するため、合わせてＡＢ類のレンズと称するものとする。
【００１６】
ＡＢ類のレンズ郡は、光の波長が４４０ｎｍから大きくなるにつれて透過率が減少して最小値に達したのち光の波長が６００ｎｍまで大きくなるにつれて透過率が増加する透過率曲線を有している。ＡＢ類のレンズ郡のうち、Ａ類のレンズ郡は、図１に示すように、光の波長が４４０ｎｍにおける透過率が４０％以上となるように形成されたＡ１からＡ８までの８等級のレンズからなる。
【００１７】
ＡＢ類のレンズ郡のうち、Ｂ類のレンズ郡は、図２に示したように、光の波長４４０ｎｍにおける透過率が４０％未満となるよう形成されたＢ１からＢ８までの８等級のレンズからなる。Ｂ類に含まれる異なる等級のレンズは、図２に示すように、光の波長４４０ｎｍにおける透過率と光の波長６００ｎｍにおける透過率の大小関係が逆になるよう形成されている。
【００１８】
Ｃ類のレンズ郡は、図３に示すように、Ｃ１からＣ８までの８等級のレンズからなり、光の波長が４４０ｎｍから大きくなるにつれて透過率が減少して最小値に達したのち、光の波長が６００ｎｍまで大きくなるにつれて透過率が増加する透過率曲線を有している。Ｃ類の各レンズの波長４４０ｎｍから６００ｎｍまでの透過率曲線における透過率の最小値は５０％以上である。
【００１９】
Ｄ類のレンズは、図４に示すように、Ｄ１からＤ８までの８等級のレンズからなり、光の波長が４４０ｎｍから６００ｎｍまでの範囲で略右上がり形状の透過率曲線を有している。
【００２０】
次に、レンズの製造方法について説明する。表１乃至表４は、Ａ〜Ｄ類のレンズの透過率分布の設計値の一例を示している。各分類のレンズは、表１乃至表４に示した透過率から所定の許容範囲（例えば、設計値±５％）を満たすように、かつ図１乃至図４に示した模式図と近似の形状となることをねらって製造される。
【００２１】
【表１】
2014134661.tif 000003
【００２２】
【表２】
2014134661.tif 000004
【００２３】
【表３】
2014134661.tif 000005
【００２４】
【表４】
2014134661.tif 000006
【００２５】
レンズに、所望の透過率曲線を付与する方法としては、レンズ生地を着色する方法、部分反射膜を設ける方法、着色と部分反射膜とを併用する方法を用いることができる。
レンズ生地を着色する方法は、特に限定されず、レンズ生地表面に着色を行ってもよいし、レンズ生地をモノマーから重合する際に染料や顔料を配合することによりレンズ生地自体を着色してもよい。レンズ生地表面に着色を行う場合は、所望の透過率曲線をより精度よく形成するために、グラディエーション状に行ってもよい。また、着色を行う前にハードコート被膜を設けてもよい。
【００２６】
部分反射膜は、真空蒸着法、イオンプレーティング法、スパッタリング法等により形成することができる。部分反射膜は、単層又は多層のいずれにしてもよい。
【００２７】
ハードコート被膜を形成する方法は、特に限定されないが、例えば、レンズ生地表面にシリコーン系のハードコート液を塗布した後に熱処理をして、ハードコート液を硬化させる方法を用いることができる。ハードコート被膜の上に部分反射層を形成する場合は、酸処理やアルカリ処理、紫外線照射処理、プラズマ処理、イオンビーム照射等のいずれかの方法により、ハードコート被膜表面の処理を行うことが好ましい。
【００２８】
レンズの製造を完了すると、同一ロットのレンズからサンプルを抽出して、標準光源Ｄ６５について、透過率測定器（例えば、株式会社村上色彩技術研究所製の高速積分球式分光透過率測定器「ＤＯＴ−３Ｃ」）を用いて光線透過率の測定を行い、ＪＩＳＴ７３３０（２０００）に準拠して視感透過率を算出する。
本実施形態では、各類のレンズとも、１等級から８等級にかけて視感透過率が順次低下するよう設計されている。ただし、Ｂ類のレンズは、異なる等級のレンズが光の波長４４０ｎｍにおける透過率と光の波長６００ｎｍにおける透過率の大小関係が逆になるため、各等級で視感透過率がほとんど変わらない値となっている。
【００２９】
次に、色覚補正メガネの使用者に適合したレンズを選択する方法について説明する。レンズを購入しようとする色覚異常者が、検査により、Ａ類の色覚補正メガネが最適であると判断された場合は、明度向上レンズとしてもＡ類のレンズを用いる。例えば、表１に示したＡ６の透過率曲線を有するレンズ（以下「Ａ６レンズ」のように言う。）が色覚補正レンズとして最適であるいう検査結果が出た場合、色覚補正レンズとしてＡ６レンズを選択し、明度向上レンズとして、Ａ６レンズよりも視感透過率の大きいＡ１からＡ５までの透過率曲線を有するレンズを選択する。
【００３０】
また、使用者にＢ類の色覚補正レンズが最適であると診断された場合、明度向上レンズとしてＢ類のレンズの中で色覚補正レンズよりも視感透過率の大きいレンズを選択することもできるが、Ｂ類のレンズは各等級の視感透過率がほとんど変わらないため、Ａ類のレンズを明度向上レンズに選択することができる。例えば、色覚補正レンズとして表２のＢ４レンズを選択した場合、Ｂ１からＢ３のレンズで充分に使用者が感じる明るさを確保できないときは、明度向上レンズとしてＡ１やＡ２のレンズを用いることができる。
【００３１】
色覚補正レンズとしてＣ類又はＤ類のレンズを選択する場合は、明度向上レンズとして色覚補正レンズと同類のレンズの中で色覚補正レンズよりも視感透過率の大きいレンズの中から明度向上レンズを選択する。
【００３２】
本発明の色覚補正レンズは、上記の実施形態に限らず、例えば、本発明の趣旨を逸脱しない範囲であれば、透過率曲線が表１乃至表４に示した透過率分布と異なる透過率分布や、図１乃至図４に示した透過率曲線と異なる形状の透過率曲線を有していてもよい。
【産業上の利用可能性】
【００３３】
本発明の色覚補正メガネは、薄暗い場所で視力が落ちることを抑制でき、かつ意匠性に優れるため、色覚補正メガネに好適に採用することができる。
【図１】
2014134661.tif 000007
【図２】
2014134661.tif 000008
【図３】
2014134661.tif 000009
【図４】
2014134661.tif 000010